(57)【要約】【課題】断熱材の劣化及びそれによる断熱性能の低下の問題がなく、また、施工時の目地詰めを不要とすることができる断熱材複合タイルを提供する。【解決手段】中空部１Ａを有したタイル本体１とこの中空部１Ａ内で発泡成形された断熱材２とを有する断熱材複合タイル１０。タイル本体１の端面の中空部１Ａの開口部には、この開口部を閉止する閉止体としてのゴムキャップ４が設けられている。このゴムキャップ４は、周縁部がタイル本体１の端面に重なる主板部４Ａと、この主板部４Ａから突設されており、中空部１Ａに内嵌する凸部４Ｂとを有し、凸部４Ｂがタイル本体１の中空部１Ａに嵌合することにより、安定性良くタイル本体１の両端面に取り付けられている。【選択図】図１
2006045849.tif 000002
【特許請求の範囲】
【請求項１】
中空部を有したタイル本体と、該中空部内で発泡成形された断熱材とを有する断熱材複合タイルにおいて、
該タイル本体の端面における該中空部の開口部に、該開口部を閉止する閉止体を設けたことを特徴とする断熱材複合タイル。
【請求項２】
請求項１において、該閉止体に前記断熱材の発泡時のガスを流出させるための通気孔が設けられていることを特徴とする断熱材複合タイル。
【請求項３】
請求項１又は２において、該閉止体は、周縁部が該タイル本体の端面に重なる主板部と、該主板部から突設されており、該中空部に内嵌した凸部とを有することを特徴とする断熱材複合タイル。
【請求項４】
請求項３において、該閉止体の少なくとも主板部は、タイル本体の前面の色と同色であるか、又は黒色であることを特徴とする断熱材複合タイル。
【請求項５】
請求項３において、該閉止体の少なくとも主板部は、無色透明であることを特徴とする断熱材複合タイル。
【請求項６】
請求項１ないし５のいずれか１項において、該閉止体はゴム又は合成樹脂製であることを特徴とする断熱材複合タイル。
【請求項７】
請求項１ないし６のいずれか１項に記載の断熱材複合タイルを製造する方法であって、
該タイル本体の該開口部に前記閉止体を配置しておいて該タイル本体内にて断熱材を発泡成形することを特徴とする断熱材複合タイルの製造方法。
【発明の詳細な説明】
【技術分野】
【０００１】
本発明は、中空部を有するタイル本体と、該タイル本体の中空部内で発泡成形された断熱材とを有する断熱材複合タイル及びその製造方法に関するものである。
【背景技術】
【０００２】
図３（ａ），（ｂ）に示す如く、中空部１Ａ，３Ａを有した中空のタイル本体１，３の該中空部１Ａ，３Ａ内に発泡樹脂よりなる断熱材２を設けることにより、タイルの断熱性を向上させた断熱材複合タイル１０Ａ，１０Ｂが提供されている。
【０００３】
特開２００２−３０７８６号公報の第［００２０］段落には、中空のタイル本体の中空部内に発泡用樹脂液を注入し、タイルの左右の開口部をパネルで閉鎖した後、該樹脂液を発泡させることにより、中空部内に発泡樹脂を直接充填することが記載されている。
【０００４】
このような断熱材複合タイルにあっては、端面に露出した断熱材が水や紫外線、熱などにより劣化して断熱性能が低下するという問題がある。上記特開２００２−３０７８６号公報では、この断熱材複合タイルを壁面に取り付ける際に、断熱材複合タイル同士の間の隙間（目地部）にモルタル等の目地材を充填して、この断熱材露出端面を被覆することにより、雨水の浸入を防止することが記載されているが、このような目地詰めを行っても、断熱材複合タイルの断熱材を十分に保護することはできない場合がある上に、目地詰めのための手間と時間を要し、施工面においても不利であった。
【特許文献１】特開２００２−３０７８６号公報
【発明の開示】
【発明が解決しようとする課題】
【０００５】
本発明は、断熱材の劣化及びそれによる断熱性能の低下の問題がなく、また、施工時の目地詰めを不要とすることができる断熱材複合タイルと、その製造方法を提供することを目的とする。
【課題を解決するための手段】
【０００６】
本発明（請求項１）の断熱材複合タイルは、中空部を有したタイル本体と、該中空部内で発泡成形された断熱材とを有する断熱材複合タイルにおいて、該タイル本体の端面における該中空部の開口部に、該開口部を閉止する閉止体を設けたことを特徴とする。
【０００７】
請求項２の断熱材複合タイルは、請求項１において、該閉止体に前記断熱材の発泡時のガスを流出させるための通気孔が設けられていることを特徴とする。
【０００８】
請求項３の断熱材複合タイルは、請求項１又は２において、該閉止体は、周縁部が該タイル本体の端面に重なる主板部と、該主板部から突設されており、該中空部に内嵌した凸部とを有することを特徴とする。
【０００９】
請求項４の断熱材複合タイルは、請求項３において、該閉止体の少なくとも主板部は、タイル本体の前面の色と同色であるか、又は黒色であることを特徴とする。
【００１０】
請求項５の断熱材複合タイルは、請求項３において、該閉止体の少なくとも主板部は、無色透明であることを特徴とする。
【００１１】
請求項６の断熱材複合タイルは、請求項１ないし５のいずれか１項において、該閉止体はゴム又は合成樹脂製であることを特徴とする。
【００１２】
請求項７の断熱材複合タイルの製造方法は、このような本発明の断熱材複合タイルを製造する方法であって、該タイル本体の該開口部に前記閉止体を配置しておいて該タイル本体内にて断熱材を発泡成形することを特徴とする。
【発明の効果】
【００１３】
本発明の断熱材複合タイルでは、タイル本体の端面の開口部に、この開口部を閉止する閉止体が設けられているため、中空部内の断熱材は、この閉止体により覆われ、外気に露出することはない。このため、断熱材の水や紫外線、熱などによる劣化及びそれによる断熱性能の低下が防止される。従って、この断熱材複合タイルの施工に当っては、断熱材保護のための目地詰めを不要とすることができる。
【００１４】
請求項２のように、この閉止体に断熱材の発泡時のガスを流出させるための通気孔を設けておくことにより、断熱材の発泡成形時に発生したガスを内部に滞留させることなく外部に円滑に排出することができるようになる。この発泡時のガスを外部へ排出することにより、タイル本体の中空部内において、緻密な断熱材層を成形することができる。そして、緻密な断熱材層による高い断熱性能を得ることができ、また、緻密であるために、この断熱材層は水の浸入に対する抵抗性も高いものとなる。
【００１５】
請求項３のように、閉止体を、周縁部がタイル本体の端面に重なる主板部と、この主板部から突設され、タイル本体の中空部に内嵌する凸部とを有する構成とすることにより、閉止体をタイル本体端面部に嵌合させて、閉止体の抜け落ちを防止し、また、水の浸入等を確実に防止して閉止体により断熱材を確実に保護することができるようになる。
【００１６】
請求項４のように、閉止体の少なくとも主板部とタイル本体の前面の色とを同色とすることにより、施工面においてこの閉止体を目立たなくすることができる。また、この閉止体を黒色とすると、閉止体があたかも目地材のように視認され、目地詰めを行うことなく、目地相当部を有する施工面を形成することができる。
【００１７】
また、請求項５のように、閉止体の少なくとも主板部を無色透明とすることによっても、閉止体を目立たなくすることができる。
【００１８】
請求項６のように、この閉止体はゴム又は合成樹脂製であることが、耐久性、タイル本体への取り付け性、取り扱い性、閉止性能等の面で好ましい。
【００１９】
このような本発明の断熱材複合タイルは、タイル本体の開口部に閉止体を配置しておいて、タイル本体内にて断熱材を発泡成形する本発明の断熱材複合タイルの製造方法により容易に製造することができる。
【発明を実施するための最良の形態】
【００２０】
以下に図面を参照して本発明の断熱材複合タイル及びその製造方法の実施の形態を詳細に説明する。
【００２１】
図１は本発明の断熱材複合タイルの実施の形態を示す図であり、（ａ）図は斜視図、（ｂ）図は（ａ）図のＢ−Ｂ線に沿う断面図である。図２は本発明の断熱材複合タイルの他の実施の形態を示す断面図である。
【００２２】
図１の断熱材複合タイル１０は、中空部１Ａを有したタイル本体１とこの中空部１Ａ内で発泡成形された断熱材２とを有し、タイル本体１の端面の中空部１Ａの開口部には、この開口部を閉止する閉止体としてのゴムキャップ４が設けられている。
【００２３】
このゴムキャップ４は、周縁部がタイル本体１の端面１ａに重なる主板部４Ａと、この主板部４Ａから突設されており、中空部１Ａに内嵌する凸部４Ｂとを有し、凸部４Ｂがタイル本体１の中空部１Ａに嵌合することにより、安定性良く、密着してタイル本体１の両端面に取り付けられている。
【００２４】
この断熱材複合タイル１０は、中空のタイル本体１の両端開口部がゴムキャップ４で封止されていることにより、中空部１Ａ内の断熱材２が外気に露出しない。このため、断熱材２が水、熱、紫外線等により劣化して断熱性能が低下することが防止される。
【００２５】
この断熱材複合タイル１０を製造するには、タイル本体１の中空部１Ａ内に発泡用樹脂液を注入すると共にタイル本体１の両端開口にゴムキャップ４を取り付けて、このゴムキャップ４を押圧して固定した中空部１Ａ内で発泡用樹脂液を発泡させて断熱材２を成形すれば良い。
【００２６】
なお、このとき、発泡用樹脂液の発泡で発生するガスは、ゴムキャップ４とタイル本体１とのわずかな隙間から放散されるが、図２に示す如く、主板部５Ａから凸部５Ｂにかけて貫通する通気孔５ａを設けたゴムキャップ５を用い、発泡時のガスをこの通気孔５ａから外部へ流出させるようにしても良い。
【００２７】
本発明において閉止体としては、ゴムキャップに限らず、シリコーン樹脂、ポリプロピレン、ポリエチレン等の軟質合成樹脂製のキャップであっても良い。閉止体は、タイル本体１の両端開口に密着性良く嵌合することができるように、弾性素材であることが好ましい。
【００２８】
閉止体が図１，２に示す如く、周縁部がタイル本体１の端面１ａに重なる主板部４Ａ，５Ａと、この主板部４Ａ，５Ａから突設し、タイル本体１の中空部１Ａに内嵌する凸部４Ｂ，５Ｂとで構成される場合、この主板部４Ａ，５Ａの厚さ（図１（ｂ）のｄ１）は、断熱材複合タイルの形状や寸法によっても異なるが、１〜５ｍｍであることが好ましい。主板部の厚さｄ１が厚過ぎると断熱材複合タイル１０の寸法に影響を及ぼすと共に、施工面の目地幅が大きくなり、違和感が生じ、また、材料コストが高くつく。主板部の厚さｄ１が薄過ぎると十分な封止性能を得ることができない。
【００２９】
また、凸部４Ｂ，５Ｂの突出厚さ（図１（ｂ）のｄ２）は、断熱材複合タイルの形状や寸法によっても異なるが、３〜１０ｍｍ程度であることが好ましい。この凸部の厚さｄ２が厚過ぎると断熱材複合タイルの重量が増加し、また、その分断熱材２の容量が減ることにより、断熱性能が低下する。凸部の厚さｄ２が薄過ぎると、タイル本体１の中空部１Ａとの嵌合部を十分にとることができず、水の浸入等の防止性能が低下し、また、ゴムキャップ等の閉止体が抜け落ちるおそれがある。
【００３０】
また、タイル本体１の周縁部に重なるゴムキャップ４，５の主板部４Ａ，５Ａの重なり幅（図１（ｂ）のＷ２）は、タイル本体１の肉厚（図１（ｂ）のＷ１）によっても異なるが、一般的には、肉厚Ｗ１が４〜１０ｍｍ程度のタイル本体１の場合、重なり幅Ｗ２は２〜５ｍｍで、Ｗ１−Ｗ２＝２〜５ｍｍ程度、このゴムキャップ４，５の主板部４Ａ，４Ｂの外側面がタイル本体１の外側面から後退していることが好ましい。このようにゴムキャップ４，５がタイル本体１よりも後退していることにより、断熱材複合タイル１０，１０ａを施工した際、ゴムキャップ４，５の主板部４Ａ，５Ａの部分を目地部のように視認させることができる。
【００３１】
また、ゴムキャップ５のように、通気孔５ａを設ける場合、通気孔５ａの径は断熱材複合タイルの形状や寸法によっても異なるが、３〜１０ｍｍ程度で１〜１０個程度設けられていることが好ましい。通気孔５ａの径が小さ過ぎたり、その個数が少ないと、通気孔５ａを設けたことによるガス抜き効果を十分に得ることができず、逆に通気孔５ａの径が大き過ぎたり、その個数が多いと、この通気孔５ａを通して断熱材２が外気と接触するようになり、断熱材２の劣化を引き起こす。
【００３２】
本発明の断熱材複合タイルは、従来の断熱材複合タイルと同様に施工面に張り付けて施工することができる。その際、内部の断熱材が閉止体により十分に保護されていることにより、一般的には目地詰めは不要である。ただし、目地詰めを行っても良いことは言うまでもない。
【００３３】
目地詰めを行わずに本発明の断熱材複合タイルを施工した場合、ゴムキャップ等の閉止体の少なくとも外部に表出する主板部がタイル本体の施工時の前面側の色と同色ないし同系色（同色系で淡い色或いは濃い色）であると、この閉止体がタイル本体と一体として視認され、施工面において閉止体が目立たなくなる。また、閉止体の少なくとも外部に表出する主板部が無色透明である場合にも、施工面において、閉止体が目立たなくなる。
【００３４】
逆に、閉止体の少なくとも外部に表出する主板部が黒色等の暗色系である場合には、施工面において、この閉止体があたかも目地詰め部のように視認される。
【００３５】
なお、本発明の断熱材複合タイルは、ゴムキャップ等の閉止体を設けたこと以外は従来の断熱材複合タイルと同様の構成とすることができ、例えば、タイル本体の形状についても、図１，２に示すような略正四角筒形状のものの他、図３（ｂ）に示すような略長四角筒形状のものであっても良い。
【００３６】
断熱材の材料としても、従来の断熱材複合タイルに用いられているもので良く、ポリエチレン系樹脂、ポリスチレン系樹脂、ポリウレタン系樹脂、フェノール系樹脂等を用いることができる。
【図面の簡単な説明】
【００３７】
【図１】本発明の断熱材複合タイルの実施の形態を示す図であり、（ａ）図は斜視図、（ｂ）図は（ａ）図のＢ−Ｂ線に沿う断面図である。
【図２】本発明の断熱材複合タイルの他の実施の形態を示す断面図である。
【図３】従来の断熱材複合タイルを示す断面図である。
【符号の説明】
【００３８】
１，３  タイル本体
２  断熱材
１Ａ，３Ａ  中空部
４，５  ゴムキャップ
５ａ  通気孔
１０，１０ａ，１０Ａ，１０Ｂ  断熱材複合タイル
【図１】
2006045849.tif 000003
【図２】
2006045849.tif 000004
【図３】
2006045849.tif 000005